(57)【要約】【課題】指の切り傷が生じにくい安全性を備えるとともに、使用状態での仕上がり品質や見栄えを良好にすることができ、さらに使用にともなう損傷を少なくして再利用の頻度を高めることができる手提げ袋を提供する。【解決手段】袋組織１の両面をなす第１，第２主面部３ａ，３ｂの上辺から一定寸法だけ下方位置に、横一直線の折曲ガイド線６が形成され、両主面部にはそれぞれ、その折曲ガイド線６よりも下方位置の横一直線上に、手提げ紐２ａ，２ｂが両端が一定間隔Ｃをおいて左右対称位置に止着されるとともに、両端間がループ状に上方に延び、さらに、その折曲ガイド線６より上方位置の横一直線上に、定常状態で閉じた状態となる切り込み線７１が、ほぼＣの長さで幅方向の中心線に対して左右対称に形成されるとともに、その切り込み線７１は細かい波線状に形成され、その両端位置は、手提げ紐２ａ，２ｂの両端止着位置に対応し、その両端位置にはそれぞれ手提げ紐２ａの通し穴７２が穿設され、各通し穴７２はそれぞれ切り込み線７１の端部に連接されている。【選択図】  図１
2010279435.tif 000002
【特許請求の範囲】
【請求項１】
シート製の袋組織と、２つの手提げ紐を備えた手提げ袋であって、
袋組織は、第１，第２主面部を有し、
第１，第２主面部は、ともにほぼ矩形または台形であって、ほぼ同じ大きさであり、対向しており、
第１，第２主面部は、両者の下辺部分が共通の底面に接続し、両者の両側辺部分がそれぞれ共通の側面襠部に接続し、両者の上辺部分が袋の開口部を形成し、
第１，第２主面部および両側面襠部には、上辺から一定寸法だけ下方位置において、横一直線の折曲ガイド線が形成されており、
折曲ガイド線は、第１，第２主面部の上辺部分を重ね合わせた状態で、一体的に、第１主面部側に折り返すように誘導し、
２つの手提げ紐は、第１，第２主面部の外側にそれぞれ配置され、第１，第２主面部における折曲ガイド線よりも下方位置の横一直線上に、両端が一定間隔Ｃをおいて左右対称位置に止着され、両端間がループ状に上方に延びており、
第１，第２主面部には、ともに、折曲ガイド線より上方位置の横一直線上に、定常状態で閉じた状態となる切り込み線が、ほぼＣの長さで幅方向の中心線に対して左右対称に形成され、
切り込み線は細かい波線状に形成され、
切り込み線の両端位置は、第１，第２主面部の横方向にて２つの手提げ紐の両端止着位置に対応し、その両端位置にはそれぞれ手提げ紐の通し穴が穿設され、
各通し穴はそれぞれ切り込み線の端部に連接され、
第１主面部側の手提げ紐は、折曲ガイド線により折り返された第１，第２主面部の通し穴を貫通して上方に延びて、第２主面部側の手提げ紐とともに利用者に把持される
手提げ袋。
【請求項２】
請求項１において、切り込み線の両端に連接して位置する通し穴は、穴の中心が切り込み線の位置よりも下方に位置することを特徴とする手提げ袋。
【発明の詳細な説明】
【技術分野】
【０００１】
この発明は、商店での買い物の際に多用されている紙製などの手提げ袋に関し、とくに、上端の開口辺部分を折り返して内部を簡易封止できるとともに、その折り返し部分に一対の手提げ紐の片方を通すことにより封止状態を確実にするようにした手提げ袋の改良に関する。
【背景技術】
【０００２】
上端の開口辺部分を折り返して内部を簡易封止できるとともに、その折り返し部分に一対の手提げ紐の片方を通すことにより封止状態を確実にするようにした手提げ袋としては、実開昭６１−１６６９２１号公報（特許文献１）に開示されたものが典型的である。これは、図４に示すように、以下のように構成されている。
【０００３】
（１）紙などのシート製の袋組織１と、２つの手提げ紐２を備えた手提げ袋であること
（２）袋組織１は、第１主面部３ａと第２主面部３ｂを有すること
（３）第１主面部３ａと第２主面部３ｂは、ともに縦長のほぼ長方形であって、同じ大きさであり、対向していること
（４）第１主面部３ａと第２主面部３ｂは、両者の下辺部分が共通の底面４に接続し、両者の両側辺部分がそれぞれ共通の側面襠部５に接続し、両者の上辺部分が袋の開口部を形成すること
（５）第１主面部３ａ・第２主面部３ｂ・両側面襠部５には、上辺より下方の位置において、横一直線の折曲ガイド線６が形成されていること
（６）折曲ガイド線６は、第１主面部３ａ、第２主面部３ｂの上辺部分を重ね合わせた状態で、一体的に、第１主面部３ａ側に折り返すように誘導すること
（７）２つの手提げ紐２は、第１，第２主面部３ａ，３ｂの外側にそれぞれ配置され、第１，第２主面部３ａ，３ｂにおける折曲ガイド線６よりも下方位置の横一直線上に、両端が一定間隔Ｃをおいて左右対称位置に止着され、両端間がループ状に上方に延びていること
（８）第１，第２主面部３ａ，３ｂには、ともに、折曲ガイド線６より上方位置の横一直線上に、一定の上下開口幅を有するスリット状窓穴（蓋止溝穴）７がほぼＣの長さで幅方向の中心線に対して左右対称に形成されること
（９）第１主面部３ａ側の手提げ紐２は、折曲ガイド線６により折り返された第１，第２主面部３ａ，３ｂのスリット状窓穴７を通り抜けて上方に延び、第２主面部３ｂ側の手提げ紐２とともに利用者に把持されること
【０００４】
この構成の手提げ袋に物を収納する際は、利用者は、図４の（Ａ）に示すように、第１，第２主面部３ａ，３ｂの上辺部分を上方へ立ち上げて袋組織１の開口部を開く。物を収納して持ち歩く際は、同図の（Ｂ）に示すように、第２主面部３ｂ，３ｂの上辺部分を重ね合わせて第１主面部３ａ側に折り返すとともに、第１主面部３ａ側の手提げ紐２をスリット状窓穴７に通して上方へ抜けさせる。
【先行技術文献】
【特許文献】
【０００５】
【特許文献１】実開昭６１−１６６９２１号公報
【発明の概要】
【発明が解決しようとする課題】
【０００６】
図４に示した従来の簡易封止可能な手提げ袋では、つぎのような解決すべき課題があった。
【０００７】
第１，第２主面部３ａ，３ｂの上辺部には、一定の上下開口幅を有するスリット状窓穴７が形成されているが、利用者が、そのスリット状窓穴７に手提げ紐２を通そうとする際などに、その窓穴７の内側エッジで手指に切り傷を付けやすいという安全性の問題があった。
【０００８】
第１，第２主面部３ａ，３ｂの上辺部に形成されているスリット状窓穴７は、型抜きパンチにより切り抜かれて形成される。この型抜きパンチは、第１，第２主面部３ａ，３ｂを共に上方へ立ち上げて重ね合わせた状態で行う。
【０００９】
このようにして形成された第１，第２主面部３ａ，３ｂの窓穴７は、第１，第２主面部３ａ，３ｂを共に立ち上げて重ね合わせた状態では互いに重なり合っているが、図４の（Ｂ）に示すように、第１，第２主面部３ａ，３ｂが共に折曲ガイド線に沿って折り曲げられた状態、すなわち第１主面部３ａ側の手提げ紐２をスリット状窓穴７に通して上方へ抜けさせ、第２主面部３ｂ側の手提げ紐２とともに利用者に把持される使用状態では、第１主面部３ａ側のスリット状窓穴７と第２主面部３ｂ側のスリット状窓穴７が重ならず、両者の間に位置ずれが生じる。このために、第１主面部３ａの裏面が第２主面部３ｂ側のスリット状窓穴７から露出して、袋の仕上がり品質や見栄えが大きく損なわれてしまうという体裁上の問題があった。
【００１０】
この種の手提げ袋には、単なる物入れ袋ではなく、収納品の高級感を演出する装飾的な役割、企業あるいは店のイメージアップを担う広告媒体的な役割も期待されている。高級感のある手提げ袋を利用者が手に提げて街中を移動すれば、それだけで手提げ袋の提供元や収納品を好イメージで宣伝する効果が生じる。
【００１１】
しかし、このような装飾や広告媒体の効果を得るためには、手提げ袋自体が高級感を備える必要があり、仮に、手提げ袋の仕上がり品質や見栄えが悪いと、その手提げ袋の提供元や収納品までもが粗雑あるいは粗悪であると類推されてしまう逆の宣伝効果が生じやすい。したがって、スリット状窓穴７の位置ずれによる見栄えの低下は、この種の手提げ袋において非常な大きな問題となる。
【００１２】
第１，第２主面部３ａ，３ｂのスリット状窓穴７を通した手提げ紐２は、手提げ袋の持ち姿勢の変化などにより、そのスリット状窓穴７内を左右に自由勝手に移動し、これにともなってスリット状窓穴７が損傷することがある。スリット状窓穴７が損傷すると、再利用の頻度が少なくなって、広告媒体的な機能が低減されてしまうことになる。
【００１３】
この発明は以上のような問題を克服するものであって、その目的は、手指の切り傷が生じにくい安全性を備えるとともに、使用状態での仕上がり品質や見栄えを良好にすることができ、さらに使用にともなう損傷を少なくして再利用の頻度を高めることができる簡易封止可能な手提げ袋を提供することにある。
【課題を解決するための手段】
【００１４】
本発明の手提げ袋は、次の（１１）〜（２２）により特定されるものである。  
（１１）シート製の袋組織と、２つの手提げ紐を備えた手提げ袋であること
（１２）袋組織は、第１，第２主面部を有すること
（１３）第１，第２主面部は、ともにほぼ矩形または台形であって、ほぼ同じ大きさであり、対向していること
（１４）第１，第２主面部は、両者の下辺部分が共通の底面に接続し、両者の両側辺部分がそれぞれ共通の側面襠部に接続し、両者の上辺部分が袋の開口部を形成すること
（１５）第１，第２主面部および両側面襠部には、上辺から一定寸法だけ下方位置において、横一直線の折曲ガイド線が形成されていること
（１６）折曲ガイド線は、第１，第２主面部の上辺部分を重ね合わせた状態で、一体的に、第１主面部側に折り返すように誘導すること
（１７）２つの手提げ紐は、第１，第２主面部の外側にそれぞれ配置され、第１，第２主面部における折曲ガイド線よりも下方位置の横一直線上に、両端が一定間隔Ｃをおいて左右対称位置に止着され、両端間がループ状に上方に延びていること
（１８）第１，第２主面部には、ともに、折曲ガイド線より上方位置の横一直線上に、定常状態で閉じた状態となる切り込み線が、ほぼＣの長さで幅方向の中心線に対して左右対称に形成されていること
（１９）切り込み線は細かい波線状に形成されていること
（２０）切り込み線の両端位置は、第１，第２主面部の横方向にて２つの手提げ紐の両端止着位置に対応し、その両端位置にはそれぞれ手提げ紐の通し穴が穿設されていること
（２１）各通し穴はそれぞれ切り込み線の端部に連接されていること
（２２）第１主面部側の手提げ紐は、折曲ガイド線により折り返された第１，第２主面部の通し穴を貫通して上方に延びて、第２主面部側の手提げ紐とともに利用者に把持されること
【発明の効果】
【００１５】
指の切り傷が生じにくい安全性を備えるとともに、使用状態での仕上がり品質や見栄えを良好にすることができ、さらに使用にともなう損傷を少なくして再利用の頻度を高めることができる。
【図面の簡単な説明】
【００１６】
【図１】本実施例に係る手提げ袋の第１の状態を示す外観斜視図である。
【図２】本実施例に係る手提げ袋の第２の状態を示す外観斜視図である。
【図３】本発明の要部をなす切り込み線の両端の通し穴についての実施例を例示する部分図である。
【図４】従来の簡易封止可能な手提げ袋を示す外観斜視図である。
【発明を実施するための形態】
【００１７】
＝＝＝本発明の手提げ袋の構成＝＝＝
図１および図２は、この発明の一実施例をなす手提げ袋を示す。  
図１に示すように、この発明に係る手提げ袋は、シート製の袋組織１に２つの手提げ紐２を備えた手提げ袋であって、袋組織１は、第１主面部３ａおよび第２主面部３ｂを有する。両主面部３ａ，３ｂは、ともにほぼ矩形であって、ほぼ同じ大きさであり、対向している。
【００１８】
第１，第２主面部３ａ，３ｂは、両者の下辺部分が共通の底面４に接続し、両者の両側辺部分がそれぞれ共通の側面襠部５に接続し、両者の上辺部分が袋の開口部を形成する。
【００１９】
第１，第２主面部３ａ，３ｂおよび両側面襠部５には、上辺から一定寸法だけ下方位置において、横一直線の折曲ガイド線６が形成されている。
【００２０】
折曲ガイド線６は、第１，第２主面部３ａ，３ｂの上辺部分を重ね合わせた状態で、一体的に、第１主面部３ａ側に折り返すように折り曲げを誘導する。
【００２１】
２つの手提げ紐２（２ａ，２ｂ）は、第１，第２主面部３ａ，３ｂの外側にそれぞれ配置され、第１，第２主面部３ａ，３ｂにおける折曲ガイド線６よりも下方位置の横一直線上に、両端が一定間隔Ｃをおいて左右対称位置に止着され、その両端間がループ状に上方に延びている。
【００２２】
第１，第２主面部３ａ，３ｂには、ともに、折曲ガイド線６より上方位置の横一直線上に、定常状態で閉じた状態となる切り込み線７１が、ほぼＣの長さで幅方向の中心線に対して左右対称に形成されている。この切り込み線７１は、切り抜きではなく切り込みによって無幅に形成されているため、従来のスリット状窓穴７（図４）とは異なり、定常状態は閉じた状態を保つ。さらに、この切り込み線７１は単一直線ではなく、細かい波線状に形成されている。
【００２３】
切り込み線７１の両端位置は、第１，第２主面部３ａ，３ｂの横方向にて２つの手提げ紐２の両端止着位置に対応し、その両端位置にはそれぞれ手提げ紐２の通し穴７２が穿設されている。
【００２４】
各通し穴７２はそれぞれ上下方向が横方向よりも長径の異形穴であるとともに、切り込み線７１の端部に連接されている。つまり、切り込み線７１の両端が通し穴７２に抜けて終端するようになっている。
【００２５】
第１主面部３ａ側の手提げ紐２ａは、折曲ガイド線６により折り返された第１，第２主面部３ａ，３ｂの通し穴７２を貫通して上方に延びて、第２主面部３ｂ側の手提げ紐２ｂとともに利用者に把持されるようになっている。
【００２６】
＝＝＝本発明の手提げ袋の使用法と効果＝＝＝
上述した実施例の手提げ袋は、図１に示すように、第１、第２主面部３ｂ，３ｂの上辺部分を上方へ立ち上げて袋組織１の開口部を開いた状態で収納物の出し入れを行う。物を収納して持ち歩く際は、図２に示すように、第１，第２主面部３ａ，３ｂの上辺部分を重ね合わせて第１主面部３ａ側に折り返すとともに、第１主面部３ａ側の手提げ紐２ａを通し穴７２に通して上方へ抜けさせる。そして、上方に抜けた第１主面部３ａ側の手提げ紐２ａを第２主面部３ｂ側の手提げ紐２ｂとともに把持することにより、袋組織１を簡易封止した状態で持ち歩くことができる。
【００２７】
ここで、第１主面部３ａ側の手提げ紐２ａを通し穴７２に通す際は、その紐２ａの中間部を、第１，第２主面部３ａ，３ｂの切り込み線７１を一時的に押し広げながら、その一時的に押し広げた切り込み線７１の隙間をくぐり抜けさせる。
【００２８】
切り込み線７１は、その両端部が通し穴７２に連接しているため、手提げ紐２ａを通す際に容易に押し広げられて、その手提げ紐２ａを容易にくぐり抜けさせることができる。
【００２９】
切り込み線７１をくぐり抜けた手提げ紐２ａは、手提げ紐２ａの両端止着位置が切り込み線７１の両端位置に対応させられていることにより、その切り込み線７１の両端部に連接している通し穴７２に誘導されて入り込む。
【００３０】
この後、手提げ紐２ａは、勝手に移動しないようにその通し穴７２内に拘束される。切り込み線７１は、手提げ紐２ａがくぐり抜けるときは一時的に押し広げられるが、手提げ紐２ａが通し穴７２に入り込んだ後は、定常状態である閉じた状態に復帰する。
【００３１】
このため、いったん通し穴７２に入り込んだ手提げ紐２ａは、定位置である通し穴７２内に入り込んだ状態で安定し、手提げ袋の持ち姿勢が変化しても、そこから自由勝手に移動することはない。これにより、手提げ紐２ａによる切り込み線７１の損傷が防止されて袋の耐用が増す。耐用が増せば、再利用の頻度が多くなることによる広告効果が期待される。
【００３２】
切り込み線７１は定常状態で閉じているため、この切り込み線７１のエッジに利用者の手指が触れるのは、手提げ紐２ａをくぐらせるために切り込み線７１が一時的に押し広げられるときだけであるが、このときにおいても、切り込み線７１は細かい波線状に形成されているため、そのエッジ上に手指を滑らせたとしても、切り傷を負わせるようなことは防げる。
【００３３】
また、第１，第２主面部３ａ，３ｂが共に折曲ガイド線に沿って折り曲げられた状態では、第１主面部３ａ側の切り込み線７１と第２主面部３ｂ側の切り込み線７１とが重ならず、両者の間に位置ずれが生じてしまうが、その切り込み線７１は、従来のスリット状窓穴とは異なり、定常状態で閉じているため、第１主面部３ａの裏面はその閉じた状態の切り込み線７１によって覆い隠されて露出することはない。これにより、袋の仕上がり品質や見栄えを良好にして高級感を持たせることができる。
【００３４】
このように、本発明の手提げ袋は、単なる物入れ袋ではなく、収納品の高級感を演出する装飾的な役割、企業あるいは店のイメージアップを担う広告媒体的な役割を持つことができる。高級感のある手提げ袋を利用者が手に提げて街中を移動すれば、それだけで手提げ袋の提供元や収納品を好イメージで宣伝する効果が生じる。
【００３５】
図示の実施形態では、袋組織１の両主面部３ａ，３ｂがともに矩形に形成されているが、これは台形に形成されていてもよい。
【００３６】
＝＝＝本発明の手提げ袋のさらに好ましい構成＝＝＝
使用時に袋の裏側が見えないようにすることは、袋の仕上がり品質や見栄えを良好にする上で重要であるが、このためには、上述した構成に加えて、第１主面部３ａの上辺を第２主面部３ｂの上辺よりも若干下方へ後退させ、第１，第２主面部３ａ，３ｂが折曲ガイド線６で第１主面部３ａ側に折り返えされたときに、少なくとも第１主面部３ａの裏面が第２主面部３ｂの表面で覆い隠されることが望ましい。
【００３７】
図３は、切り込み線７１の両端の通し穴７２についての実施例を例示する。同図の（Ａ）に示すように、各通し穴７２はそれぞれ上下方向が横方向よりも長径の異形穴とすることにより、使用時に上下方向に引っ張り力がかかる手提げ紐２ａをその通し穴７２に安定に通すことができるとともに、その通し穴７２の周囲を損傷しにくくすることができる。
【００３８】
このためには、同図の（Ｂ）に示すように、切り込み線７１の両端に連接して位置する通し穴７２の中心を切り込み線７１の位置よりも下方（折曲ガイド線６側方向）に位置させることがさらに望ましい。
【００３９】
通し穴７２の形状については、上記に限らず、たとえば、同図の（Ｃ）に示すように、切り込み線７１の両端方向へ広がるしずく形にしてもよい。また、同図の（Ｄ）に示すように、真円形であってもよい。
【符号の説明】
【００４０】
１  袋組織
２，２ａ，２ｂ  手提げ紐
３ａ  第１主面部
３ｂ  第２主面部
４  底面
５  側面襠部
６  折曲ガイド線
７１  定常状態で閉じた状態となる切り込み線
Ｃ  切り込み線７１の長さ
７２  手提げ紐２の通し穴
【図１】
2010279435.tif 000003
【図２】
2010279435.tif 000004
【図３】
2010279435.tif 000005
【図４】
2010279435.tif 000006